(57)【特許請求の範囲】
【請求項１】
ケースの一端側に設けられた２つの電源接続端子と、ケースの他端側に設けられ、隣合う２極型回路遮断器の２つの出力端子のうちの一方に接続する第１の中継端子及びこの第１の中継端子との間に接点を介して接続されて負荷に接続する第２の中継端子と、前記２つの電源接続端子の一方に電気的に接続される補助端子と、前記接点を開閉駆動する接点開閉手段を介して前記２つの電源接続端子の他方に接続される補助端子とを備え、前記２つの電源接続端子間には電源が接続され、前記２つの補助端子間には前記接点開閉手段の操作に用いられる外部スイッチが接続されることを特徴とするリモートコントロールリレー。
【請求項２】
前記補助端子をケースの他端側に設けたことを特徴とする請求項１記載のリモートコントロールリレー。
【請求項３】
前記２つの電源接続端子の間隔を前記２極型回路遮断器の２つの入力端子の間隔と同一としたことを特徴とする請求項１又は請求項２記載のリモートコントロールリレー。
【請求項４】
前記ケースの入出力端子間方向の長さを２極型回路遮断器の入出力端子間方向の長さよりも長く形成し、前記ケースにおける２極型回路遮断器の２つの出力端子間に介在する取付ねじ挿通孔に対応する裏面に、取付ねじの頭部よりも大きな凹所を設けたことを特徴とする請求項１乃至請求項３記載のリモートコントロールリレー。
【請求項５】
前記凹所は、電源接続端子を導電バーに接続する方向を長手方向とする長孔状に形成されたことを特徴とする請求項４記載のリモートコントロールリレー。
【発明の詳細な説明】
【０００１】
【発明の属する技術分野】
本発明は、分岐用の回路遮断器を遠隔で開閉操作するリモートコントロールリレーに関する。
【０００２】
【従来の技術】
従来、この種のリモートコントロールリレー（以下、単にリレーという）として、図９に示すものが存在する。このものは、隣合う図略の２極型回路遮断器である分岐ブレーカの出力端子の一方に接続される主回路端子９５と、この主回路端子９５との間に接点（スイッチ）ＳＷ１を介して接続されて負荷に接続する主回路端子９６とをケースＣの一端（図では左端）側に配設する一方、当該リレーと外部スイッチとしてのリモコン（リモートコントロール）スイッチ９との間に介在する外部電源としての交流電源（ＡＣ１００Ｖ）８からの電力を利用して接点ＳＷ１の切替（開閉）操作を行うリモコンスイッチ９との接続用の操作コイル端子９７及び制御電源端子９８をケースＣの他端（図では右端）側に配設したもので、図略の分電盤内に配設され、隣合うオン状態の分岐ブレーカをリモコンスイッチ９の遠隔操作に応じて負荷に対してオン／オフの状態にする。
【０００３】
図１０（ａ）は上記リレーのオフ時における電流経路を示す図、（ｂ）はリモコンスイッチ９の閉操作が行われた瞬間の電流経路を示す図で、この図を用いて上記リレーについて更に説明すると、このリレーは、接点ＳＷ１，ＳＷ２、ダイオードＤ１，Ｄ２及びコイルＬ１により構成されたラッチタイプのもので、リモコンスイッチ９の開閉操作に応じて接点ＳＷ１，ＳＷ２を切り替える。
【０００４】
すなわち、接点ＳＷ１が開（オフ）で接点ＳＷ２がダイオードＤ１に接続する上記リレーのオフ時には、交流電源８、接点ＳＷ２、ダイオードＤ１、コイルＬ１、ダイオードＤ９２、スイッチＳＷ３、ダイオードＤ９３、抵抗Ｒ９１，Ｒ９３、ＬＥＤ９１、サイリスタＴ９１のゲート、このカソード及び交流電源８により形成される閉ループにこれらの順番に電流が流れ、これにより、ＬＥＤ９１が緑色に発光する。
【０００５】
この後、スイッチＳＷ３が図１０（ｂ）に示すように押下されると、この押下の瞬間にコンデンサＣ９１に充電されていた電荷がＬＥＤ９１及びサイリスタＴ９１を通って放電し、この電流でサイリスタＴ９１が導通し、これにより、コイルＬ１を流れる電流が増大し、リレーがオンになる。すなわち、接点ＳＷ１は閉になり、接点ＳＷ２はダイオードＤ２側に切り替わり、この状態が保持される。ただし、スイッチＳＷ３は、通常、図１０（ａ）の状態を保持し、押下時のみ、図１０（ｂ）に示す状態に切り替わる。
【０００６】
この後、接点ＳＷ２がダイオードＤ２側に切り替わって、スイッチＳＷ３が図１０（ａ）に示す状態に戻ると、交流電源８、ダイオードＤ９１、スイッチＳＷ３、ダイオードＤ９４、抵抗Ｒ９２，Ｒ９４、ＬＥＤ９２、サイリスタＴ９２のゲート、このカソード、コイルＬ１、ダイオードＤ２及び交流電源８により形成される閉ループにこれらの順番に電流が流れ、これにより、ＬＥＤ９１が赤色に発光し、サイリスタＴ９１は、自己を流れる電流が保持電流以下になりオフになる。
【０００７】
これ以降はリモコンスイッチ９の開閉操作に応じて上記同様の動作が繰り返される。
【０００８】
【発明が解決しようとする課題】
上述したリモートコントロールリレーにあっては、外部スイッチに直列に外部電源を接続しているので、外部電源用の配線が必要であり、配線作業が煩わしいという問題があった。
本発明は、かかる事由に鑑みて成されたものであり、その目的とするところは、配線作業性が向上するリモートコントロールリレーを提供することにある。
【０００９】
【課題を解決するための手段】
上記課題を解決するための本発明は、ケースの一端側に設けられた２つの電源接続端子と、ケースの他端側に設けられ、隣合う２極型回路遮断器の２つの出力端子のうちの一方に接続する第１の中継端子及びこの第１の中継端子との間に接点を介して接続されて負荷に接続する第２の中継端子と、前記２つの電源接続端子の一方に電気的に接続される補助端子と、前記接点を開閉駆動する接点開閉手段を介して前記２つの電源接続端子の他方に接続される補助端子とを備え、前記２つの電源接続端子間には電源が接続され、前記２つの補助端子間には前記接点開閉手段の操作に用いられる外部スイッチが接続されることを特徴とするものである。
【００１０】
この構成では、隣合う２極型回路遮断器の出力端子の一方を第１の中継端子に接続するとともに第２の中継端子を負荷に接続し、また、２極型回路遮断器の出力端子の他方をそのまま負荷に接続することにより、この２極型回路遮断器に接続された負荷を遠隔操作することができる。このリモートコントロールリレーを２極型回路遮断器とともに分電盤内に収納すれば、遠隔操作用の電力を電源接続端子からそのまま取ることができるので、外部電源用の配線が不必要となり、配線作業性が向上する。
【００１１】
なお、前記補助端子をケースの他端側に設けたものでもよい。この構成によれば、補助端子が２極型回路遮断器における出力端子側に位置することとなり、この補助端子への配線作業性が向上する。
また、前記２つの電源接続端子の間隔を前記２極型回路遮断器の２つの入力端子の間隔と同一としたものでもよい。この構成によれば、２極型回路遮断器に接続される導電バーをそのまま接続することができ、導電バーを２極型回路遮断器とは異なる間隔で作製する必要がなく、もって２極型回路遮断器との取り替え作業が容易に行える。
【００１２】
また、前記ケースの入出力端子間方向の長さを２極型回路遮断器の入出力端子間方向の長さよりも長く形成し、前記ケースにおける２極型回路遮断器の２つの出力端子間に介在する取付ねじ挿通孔に対応する裏面に、取付ねじの頭部よりも大きな凹所を設けたものでもよい。この構成によれば、分電盤内の取付プレートのねじ孔に取付部材をねじ取着し、このねじ取着した部分を凹所に収納することができ、かつ、ねじにより取付プレートに取り付けられた取付部材にケースを取着して分電盤内に固定できる。また、必ずケースの他端側に凹所が位置することとなり、逆接続を防止できる。
【００１３】
さらに、前記凹所は、電源接続端子を導電バーに接続する方向を長手方向とする長孔状に形成されたものでもよい。この構成によれば、電源接続端子に導電バーを接続するときのスライド接続が行え、電源接続端子と導電バーとの接続作業が容易となる。
【００１４】
【発明の実施の形態】
以下、本発明の一実施形態に係るリモートコントロールリレー（以下、単にリレーという）１０について図面を参照しながら説明する。
図１は、リレー１０が使用される分電盤内の正面図で、この分電盤内には、主幹ブレーカ１と、複数の分岐ブレーカ２と、リレー１０とが設けられている。主幹ブレーカ１は、Ｌ１側，Ｌ２側及びＮ側入出力端子を有する３極型回路遮断器である。
【００１５】
各分岐ブレーカ２は、Ｌ側及びＮ側入出力端子を有する２極型回路遮断器であり、Ｌ側入力端子は、主幹ブレーカ１のＬ１及びＬ２側のいずれか一方の出力端子と電気的に接続されており、Ｎ側入力端子は、主幹ブレーカ１のＮ側出力端子と電気的に接続されている。
リレー１０は、左右方向の幅が分岐ブレーカ２の左右方向の幅と同一に形成され、上下方向の高さが分岐ブレーカ２の上下方向の高さよりも高くなるように形成されており、主幹ブレーカ１のＬ２側及びＮ側出力端子と電気的に接続されている。
【００１６】
図２は、リレー１０、複数の分岐ブレーカ２及びこれらの分電盤内への取付け用の取付プレート等を示す斜視図で、この取付プレート３は、従来と同様のものであり、主幹ブレーカ１のＮ側出力端子に接続される導電バー３１と、主幹ブレーカ１のＬ１及びＬ２側出力端子に接続される２個の導電バー３２とを有している。なお、本実施形態では、上方の導電バー３２が主幹ブレーカ１のＬ１側出力端子に接続され、下方の導電バー３２が主幹ブレーカ１のＬ２側出力端子に接続される。
【００１７】
また、取付プレート３の上下端の各近傍には、分岐ブレーカ２取付け用として複数のねじ孔３３が形成されている。これにより、ねじ孔３３に対応するねじＢ１（後述の図３参照）を使用することで、分岐ブレーカ２の取付プレート３へのねじ止めによる取付け（直接取付け）が可能となる。
一方、リレー１０は分岐ブレーカ２よりも高さが高くなるので、取付部材４，５及びねじＢ１，Ｂ２を使用することで、当該リレー１０の取付プレート３へのねじ止めによる取付け（間接取付け）を可能にしている。
【００１８】
図３は、リレー１０及び取付部材４，５等を示す斜視図で、この図を用いて取付部材４，５について更に説明すると、取付部材４は、リレー１０と同じ幅の長方形状に形成され、本実施形態の使用では下端にねじＢ１に対応するねじ孔４１が形成されている他、取付プレート３のねじ孔３３に対応する位置にねじＢ１よりも長さの短いねじＢ２のねじ部挿通用の孔４２が形成されている。
【００１９】
取付部材５は、本実施形態の使用では上端にフランジ状の係止部５１を有する形状に形成され、下端側にねじＢ２に対応するねじ孔５２が形成されている。
これにより、取付部材４と取付部材５の係止部５１とが取付プレート３の端部を挟むようにして（図２参照）、これら取付部材４，５を取付プレート３にねじＢ２でねじ止めすれば、ねじＢ１を使用したねじ止めによるリレー１０の取付プレート３への取付けが可能となる。
【００２０】
図４（ａ）はリレー１０の一部破断正面図、図４（ｂ）はリレー１０の右側面図、図４（ｃ）はリレー１０の断面図、図５はカバーが外されたリレー１０の正面図、図６はリレー１０の内部回路の説明図で、以下これらの図を用いてリレー１０について詳述する。
リレー１０は、ボディ１１及びカバー１２により構成されるケースと、このケースの一端（本実施形態の使用では上端）側に設けられた２つの電源端子（電源接続端子）１３，１４と、ケースの他端（本実施形態の使用では下端）側に設けられ、隣合う分岐ブレーカ２の２つの出力端子のうちの一方（図６では左方）に接続する主回路端子（第１の中継端子）１５と、ケースの他端側に設けられ、主回路端子１５との間に接点ＳＷ１を介して接続されるとともに、上記分岐ブレーカ２の他方（図６では右方）の出力端子に一端が接続された負荷ＬＤの他端に接続する主回路端子（第２の中継端子）１６と、電源端子１３，１４に電気的に接続され該電源端子１３，１４からの電力を利用して接点ＳＷ１の切替制御（開閉操作）を行うリモコンスイッチ（外部スイッチ）９との接続用の操作コイル端子（補助端子）１７及び制御電源端子（補助端子）１８と、スイッチブロック１９とを備えている。
【００２１】
このスイッチブロック１９は、図１０を用いて説明した従来のリレーと同様の回路素子を用いて同様の動作を行うように構成され、上記接点ＳＷ１と、電源端子１３，１４の一方（図６では１４）にアノード及びカソードがそれぞれ接続されるダイオードＤ１，Ｄ２と、ダイオードＤ１のカソード及びダイオードＤ２のアノードのいずれか一方に一端が接続する接点ＳＷ２と、この接点ＳＷ２の他端に一端が接続され他端が操作コイル端子１７に接続され、リモコンスイッチ９の開閉制御に応じて接点ＳＷ１，ＳＷ２を切り替えるコイルＬ１とを備えている。また、電源端子１３と制御電源端子１８は電線等により電気的に接続される。
【００２２】
これにより、分岐ブレーカ２に接続された負荷ＬＤを遠隔操作することができる。また、遠隔操作用の電力がリレー１０からリモコンスイッチ９に供給されるので、リレー１０とリモコンスイッチ９との間に図１０に示すような交流電源８を介在させる必要がなくなり、これにより、外部電源としての交流電源８に対する配線が不要になり、配線作業性を向上させることが可能になる。
【００２３】
また、図５に示すように、操作コイル端子１７及び制御電源端子１８をケースの他端側に設ける構造にしているので、これら操作コイル端子１７及び制御電源端子１８が分岐ブレーカ２における出力端子側に位置することとなり、これら操作コイル端子１７及び制御電源端子１８に対する配線作業性を向上させることが可能になる。
【００２４】
また、図１に示すように、電源端子１３，１４の間隔を分岐ブレーカ２の２つの入力端子の間隔と同一にしている。これにより、分岐ブレーカ２に接続される導電バー３１，３２（本実施形態では下方の３２）をリレー１０にそのまま接続することができ、導電バーを分岐ブレーカ２とは異なる間隔で作製する必要がなく、もって分岐ブレーカ２との取り替え作業を容易にすることが可能になる。
【００２５】
なお、この場合、図４（ｃ）に示すように、ボディ１１の接続孔１１１内への導電バー３１，３２の接続部３１１，３２１（図２参照）を挿入可能にすべく、奥行きＤ１と取付部材４の厚みとの合計寸法を調整する必要がある。
また、ケースの入出力端子間方向（上下方向）の高さ（長さ）を分岐ブレーカ２の入出力端子間方向（上下方向）の高さよりも高く形成するとともに、分岐ブレーカ２の２つの出力端子間に介在する取付ねじ挿通孔２１（図１参照）に対応するケースの裏面に、すなわち図３に示すように、取付部材４，５を取付プレート３にねじ止めしているねじＢ２（図２参照）に対応するボディ１１の裏面に、ねじＢ２の頭部よりも大きな凹所１１２を設ける構造にしている。これにより、ねじＢ２の頭部を凹所１１２に収納することができ、かつ、取付部材４にケースをねじ止めして分電盤内に固定することが可能になる。また、必ずケースの他端側に凹所１１２が位置することとなり、リレー１０の取付プレート３への逆接続を防止できる。
【００２６】
さらに、凹所１１２は、電源端子１３，１４を導電バー３２，３１に接続する方向を長手方向とする長孔状に形成されているので、電源端子１３，１４に導電バー３２，３１を接続する場合にスライド接続が可能になり、これにより、電源端子１３，１４と導電バー３２，３１との接続作業を容易にすることが可能になる。以上、本実施形態によれば、配線作業性を向上させることが可能になる。
【００２７】
なお、本実施形態では、リレー１０は、取付プレート３の下段の右端に１個取り付けられるが、図７に示すように、取付プレート３の端及び下段に限らずどの位置にも取付け可能であり、また取付プレート３への複数のリレー１０の取付けも可能であることはいうまでもない。
また、本実施形態では、取付部材５が使用されているが、取付部材４だけでもよい。
【００２８】
さらに、本実施形態では、スイッチブロック１９は、図４（ｃ）に示すように各端子が取付プレート３側を向くように収納されるが、図８に示すように各端子が正面を向くように収納されるようにしてもよい。
【００２９】
【発明の効果】
以上のことから明らかなように、請求項１記載の発明によれば、配線作業性を向上させることが可能になる。
請求項２記載の発明によれば、補助端子への配線作業性を向上させることが可能になる。
【００３０】
請求項３記載の発明によれば、２極型回路遮断器との当該リモートコントロールリレーの取り替え作業を容易にすることが可能になる。
請求項４記載の発明によれば、当該リモートコントロールリレーの取付プレートへの取付け及び分電盤内への固定が可能になる他、逆接続を防止することが可能になる。
【００３１】
請求項５記載の発明によれば、電源接続端子と導電バーとの接続作業を容易にすることが可能になる。
【図面の簡単な説明】
【図１】リモートコントロールリレーが使用される分電盤内の正面図である。
【図２】リモートコントロールリレー、複数の分岐ブレーカ及びこれらの分電盤内への取付け用の取付プレート等を示す斜視図である。
【図３】リモートコントロールリレー及び取付部材等を示す斜視図である。
【図４】（ａ）はリモートコントロールリレーの一部破断正面図、（ｂ）はリモートコントロールリレーの右側面図、（ｃ）はリモートコントロールリレーの断面図である。
【図５】カバーが外されたリモートコントロールリレーの正面図である。
【図６】リモートコントロールリレーの内部回路の説明図である。
【図７】リモートコントロールリレーの別の使用例を示す分電盤内の一部正面図である。
【図８】スイッチブロックの別の収納例を示す斜視図である。
【図９】従来のリモートコントロールリレー等の概略を示す図である。
【図１０】（ａ）は従来のリモートコントロールリレーのオフ時における電流経路を示す図、（ｂ）はリモコンスイッチの閉操作が行われた瞬間の電流経路を示す図である。
【符号の説明】
２  分岐ブレーカ
９  リモコンスイッチ
１０  リモートコントロールリレー（リレー）
１１  ボディ
１２  カバー
１３，１４  電源端子
１５，１６  主回路端子
１７  操作コイル端子
１８  制御電源端子
１９  スイッチブロック
２１  取付ねじ挿通孔
３１，３２  導電バー
１１２  凹所
ＳＷ１  接点
ＬＤ  負荷
Ｂ２  ねじ
【図１】
0003873440.tif 000002
【図２】
0003873440.tif 000003
【図３】
0003873440.tif 000004
【図４】
0003873440.tif 000005
【図５】
0003873440.tif 000006
【図６】
0003873440.tif 000007
【図７】
0003873440.tif 000008
【図８】
0003873440.tif 000009
【図９】
0003873440.tif 000010
【図１０】
0003873440.tif 000011